【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
移動体の位置の表示に使用される表示領域の形状に応じて当該移動体の位置の表示を変化させる表示制御部を有する情報処理装置。
【請求項２】
前記変化は、前記表示領域上における変化量の変化であること
を特徴とする請求項１に記載の情報処理装置。
【請求項３】
前記変化の範囲は、前記表示領域の形状の制約を受ける
ことを特徴とする請求項１に記載の情報処理装置。
【請求項４】
前記表示制御部は、前記移動体の位置を当該移動体の管理上定めた区域とは非相似形状の前記表示領域に表示すること
を特徴とする請求項１に記載の情報処理装置。
【請求項５】
前記表示制御部は、前記表示領域の一部を伸長又は圧縮すること
を特徴とする請求項４に記載の情報処理装置。
【請求項６】
前記表示制御部は、前記表示領域の一部分を、他の部分とは異なる縮尺で変形すること
を特徴とする請求項４に記載の情報処理装置。
【請求項７】
前記表示制御部は、表示画面上に表示される他の作業領域と重ならないように、前記表示領域の形状を変形すること
を特徴とする請求項１に記載の情報処理装置。
【請求項８】
前記表示制御部は、前記他の作業領域の形状が変化すると又は閉じられると、前記表示領域の形状を変化させること
を特徴とする請求項７に記載の情報処理装置。
【請求項９】
前記表示制御部は、前記表示画面と非表示の仮想空間を跨いで前記表示領域を移動させること
を特徴とする請求項７に記載の情報処理装置。
【請求項１０】
前記表示制御部は、前記表示画面から非表示の仮想空間に前記表示領域を移動させること
を特徴とする請求項７に記載の情報処理装置。
【請求項１１】
前記表示制御部は、前記移動体に紐付けられた画像を前記表示領域にマッピングされた当該移動体の位置に表示すること
を特徴とする請求項１に記載の情報処理装置。
【請求項１２】
前記表示制御部は、前記表示領域にマッピングされた前記移動体の実空間における位置を補足する情報として縮尺情報を表示すること
を特徴とする請求項１に記載の情報処理装置。
【請求項１３】
前記表示制御部は、前記移動体の位置が管理上定めた区域を越えた場合、当該移動体に紐付けられた画像を前記表示領域上から消すこと
を特徴とする請求項１に記載の情報処理装置。
【請求項１４】
前記表示制御部は、前記移動体の位置が管理上定めた前記区域内に復帰した場合、当該移動体に紐付けられた前記画像を前記表示領域内に再表示すること
を特徴とする請求項１３に記載の情報処理装置。
【請求項１５】
前記表示制御部は、前記移動体との通信が切れた場合、通信が切れた位置で、当該移動体に紐付けられた画像を前記表示領域上から消すこと
を特徴とする請求項１に記載の情報処理装置。
【請求項１６】
前記表示制御部は、前記移動体との通信が再開した場合、通信が再開した位置で、当該移動体に紐付けられた前記画像を前記表示領域内に再表示すること
を特徴とする請求項１５に記載の情報処理装置。
【請求項１７】
前記表示制御部は、消滅を示唆する表示後に前記移動体に紐付けられた前記画像を前記表示領域上から消すこと
を特徴とする請求項１３又は１５に記載の情報処理装置。
【請求項１８】
前記表示制御部は、出現を示唆する表示後に前記移動体に紐付けられた前記画像を前記表示領域上に再表示すること
を特徴とする請求項１４又は１６に記載の情報処理装置。
【請求項１９】
前記移動体は、自走機構を有すること
を特徴とする請求項１に記載の情報処理装置。
【請求項２０】
前記移動体に紐付けられた画像に実行させたい機能に紐付けられた他の画像が重ね合わせられた場合、当該機能の実行を当該移動体に指示することを
特徴とする請求項１に記載の情報処理装置。       
【請求項２１】
前記表示制御部は、前記機能が実行できた場合、前記移動体に紐付けられた前記画像の表示形態を変化させること
を特徴とする請求項２０に記載の情報処理装置。
【請求項２２】
前記表示制御部は、前記移動体に紐付けられた前記画像を当該移動体の稼働状態を表す画像に変化させること
を特徴とする請求項２１に記載の情報処理装置。
【請求項２３】
前記移動体の管理上定めた区域は、予め定められた対象を基準に定まること
を特徴とする請求項１に記載の情報処理装置。
【請求項２４】
前記表示制御部は、前記移動体の管理上定めた区域を、前記表示領域の形状に応じて表示すること
を特徴とする請求項１に記載の情報処理装置。
【請求項２５】
１つ又は複数の移動体と、
前記移動体の位置の表示に使用される表示領域の形状に応じて当該移動体の位置の表示を変化させる情報処理装置と
を有する情報処理システム。
【請求項２６】
コンピュータに、
表示画面上に移動体の位置の表示に使用される表示領域を表示させる処理と、
前記表示領域の形状に応じて前記移動体の位置の表示を変化させる処理と
を実行させるプログラム。
【手続補正２】
【補正対象書類名】明細書
【補正対象項目名】０００６
【補正方法】変更
【補正の内容】
【０００６】
請求項１に記載の発明は、移動体の位置の表示に使用される表示領域の形状に応じて当該移動体の位置の表示を変化させる表示制御部を有する情報処理装置である。
請求項２に記載の発明は、前記変化は、前記表示領域上における変化量の変化であることを特徴とする請求項１に記載の情報処理装置である。
請求項３に記載の発明は、前記変化の範囲は、前記表示領域の形状の制約を受けることを特徴とする請求項１に記載の情報処理装置である。
請求項４に記載の発明は、前記表示制御部は、前記移動体の位置を当該移動体の管理上定めた区域とは非相似形状の前記表示領域に表示することを特徴とする請求項１に記載の情報処理装置である。
請求項５に記載の発明は、前記表示制御部は、前記表示領域の一部を伸長又は圧縮することを特徴とする請求項４に記載の情報処理装置である。
請求項６に記載の発明は、前記表示制御部は、前記表示領域の一部分を、他の部分とは異なる縮尺で変形することを特徴とする請求項４に記載の情報処理装置である。
請求項７に記載の発明は、前記表示制御部は、表示画面上に表示される他の作業領域と重ならないように、前記表示領域の形状を変形することを特徴とする請求項１に記載の情報処理装置である。
請求項８に記載の発明は、前記表示制御部は、前記他の作業領域の形状が変化すると又は閉じられると、前記表示領域の形状を変化させることを特徴とする請求項７に記載の情報処理装置である。
請求項９に記載の発明は、前記表示制御部は、前記表示画面と非表示の仮想空間を跨いで前記表示領域を移動させることを特徴とする請求項７に記載の情報処理装置である。
請求項１０に記載の発明は、前記表示制御部は、前記表示画面から非表示の仮想空間に前記表示領域を移動させることを特徴とする請求項７に記載の情報処理装置である。
請求項１１に記載の発明は、前記表示制御部は、前記移動体に紐付けられた画像を前記表示領域にマッピングされた当該移動体の位置に表示することを特徴とする請求項１に記載の情報処理装置である。
請求項１２に記載の発明は、前記表示制御部は、前記表示領域にマッピングされた前記移動体の実空間における位置を補足する情報として縮尺情報を表示することを特徴とする請求項１に記載の情報処理装置である。
請求項１３に記載の発明は、前記表示制御部は、前記移動体の位置が管理上定めた区域を越えた場合、当該移動体に紐付けられた画像を前記表示領域上から消すことを特徴とする請求項１に記載の情報処理装置である。
請求項１４に記載の発明は、前記表示制御部は、前記移動体の位置が管理上定めた前記区域内に復帰した場合、当該移動体に紐付けられた前記画像を前記表示領域内に再表示することを特徴とする請求項１３に記載の情報処理装置である。
請求項１５に記載の発明は、前記表示制御部は、前記移動体との通信が切れた場合、通信が切れた位置で、当該移動体に紐付けられた画像を前記表示領域上から消すことを特徴とする請求項１に記載の情報処理装置である。
請求項１６に記載の発明は、前記表示制御部は、前記移動体との通信が再開した場合、通信が再開した位置で、当該移動体に紐付けられた前記画像を前記表示領域内に再表示することを特徴とする請求項１５に記載の情報処理装置である。
請求項１７に記載の発明は、前記表示制御部は、消滅を示唆する表示後に前記移動体に紐付けられた前記画像を前記表示領域上から消すことを特徴とする請求項１３又は１５に記載の情報処理装置である。
請求項１８に記載の発明は、前記表示制御部は、出現を示唆する表示後に前記移動体に紐付けられた前記画像を前記表示領域上に再表示することを特徴とする請求項１４又は１６に記載の情報処理装置である。
請求項１９に記載の発明は、前記移動体は、自走機構を有することを特徴とする請求項１に記載の情報処理装置である。
請求項２０に記載の発明は、前記移動体に紐付けられた画像に実行させたい機能に紐付けられた他の画像が重ね合わせられた場合、当該機能の実行を当該移動体に指示することを特徴とする請求項１に記載の情報処理装置である。  
請求項２１に記載の発明は、前記表示制御部は、前記機能が実行できた場合、前記移動体に紐付けられた前記画像の表示形態を変化させることを特徴とする請求項２０に記載の情報処理装置である。
請求項２２に記載の発明は、前記表示制御部は、前記移動体に紐付けられた前記画像を当該移動体の稼働状態を表す画像に変化させることを特徴とする請求項２１に記載の情報処理装置である。
請求項２３に記載の発明は、前記移動体の管理上定めた区域は、予め定められた対象を基準に定まることを特徴とする請求項１に記載の情報処理装置である。
請求項２４に記載の発明は、前記表示制御部は、前記移動体の管理上定めた区域を、前記表示領域の形状に応じて表示することを特徴とする請求項１に記載の情報処理装置である。
請求項２５に記載の発明は、１つ又は複数の移動体と、前記移動体の位置の表示に使用される表示領域の形状に応じて当該移動体の位置の表示を変化させる情報処理装置とを有する情報処理システムである。
請求項２６に記載の発明は、コンピュータに、表示画面上に移動体の位置の表示に使用される表示領域を表示させる処理と、前記表示領域の形状に応じて前記移動体の位置の表示を変化させる処理とを実行させるプログラムである。
【手続補正３】
【補正対象書類名】明細書
【補正対象項目名】０００７
【補正方法】変更
【補正の内容】
【０００７】
請求項１記載の発明によれば、表示領域の形状に合わせて移動体の位置の表示を変化させない場合に比べ、ユーザによる移動体の位置の把握が容易になる。
請求項２記載の発明によれば、表示領域上における変化量が表示領域の形状に合わせて変化することで、ユーザによる移動体の位置の把握が容易になる。
請求項３記載の発明によれば、表示領域の形状の変化に応じて位置の表示が変化することで、ユーザによる移動体の位置の把握が容易になる。
請求項４記載の発明によれば、移動体の位置を管理上定めた区域の相似形状に合わせて表示する場合に比して、表示される管理上定めた区域の過度な縮小が回避される。
請求項５記載の発明によれば、表示領域の一部を伸長又は圧縮することで、表示される移動体の位置の把握が容易になる。
請求項６記載の発明によれば、表示領域の一部分を他の部分とは異なる縮尺で変形することで、表示される移動体の位置の把握が容易になる。
請求項７記載の発明によれば、移動体の位置の表示に用いる表示領域を他の作業領域と重ならないように変形することで、表示される移動体の位置の把握が容易になる。
請求項８記載の発明によれば、移動体の位置の表示に用いる表示領域を他の作業領域と重ならないように変形することで、表示される移動体の位置の把握が容易になる。
請求項９記載の発明によれば、移動体の位置の表示に用いる表示領域を他の作業領域と重ならないように変形することで、表示される移動体の位置の把握が容易になる。
請求項１０記載の発明によれば、移動体の位置の表示に用いる表示領域を他の作業領域と重ならないように変形することで、表示される移動体の位置の把握が容易になる。
請求項１１記載の発明によれば、移動体に紐付けられた画像を管理上定めた区域の表示領域に表示することで、表示される移動体の位置の把握が容易になる。
請求項１２記載の発明によれば、縮尺情報の表示により距離感の把握が容易になる。
請求項１３記載の発明によれば、移動体に紐付けられた画像が表示領域から消えることで、移動体が管理上定めた区域を越えたことを把握できる。
請求項１４記載の発明によれば、移動体に紐付けられた画像の再表示により、移動体が管理上定めた区域内に復帰したことを把握できる。
請求項１５記載の発明によれば、移動体に紐付けられた画像が表示領域から消えることで、移動体との通信が途絶えたことを把握できる。
請求項１６記載の発明によれば、移動体に紐付けられた画像の再表示により、移動体との通信の復帰を把握できる。
請求項１７記載の発明によれば、消滅を示唆した後に移動体に紐付けられた画像を表示領域上から消すことでユーザによる移動体の把握がより容易になる。
請求項１８記載の発明によれば、出現を示唆した後に移動体に紐付けられた画像を再表示することでユーザによる移動体の把握がより容易になる。
請求項１９記載の発明によれば、表示領域に合わせて移動体の位置の表示を変化させない場合に比べ、ユーザによる移動体の位置の把握が容易になる。
請求項２０記載の発明によれば、機能の実行の指示が容易になる。
請求項２１記載の発明によれば、移動体に紐付けられた画像の表示形態の変化を通じて機能の実行を把握できる。
請求項２２記載の発明によれば、画像の表示形態の変化を通じて稼働状態を把握できる。
請求項２３記載の発明によれば、表示領域に合わせて移動体の位置の表示を変化させない場合に比べ、ユーザによる移動体の位置の把握が容易になる。
請求項２４記載の発明によれば、表示領域に合わせて移動体の位置の表示を変化させない場合に比べ、ユーザによる移動体の位置の把握が容易になる。
請求項２５記載の発明によれば、表示領域に合わせて移動体の位置の表示を変化させない場合に比べ、ユーザによる移動体の位置の把握が容易になる。
請求項２６記載の発明によれば、表示領域に合わせて移動体の位置の表示を変化させない場合に比べ、ユーザによる移動体の位置の把握が容易になる。